(57)【要約】【課題】機能実行中の待ち時間を有効に利用できるテレビジョン放送受信機を提供する。【解決手段】放送信号を受信する手段と、放送画面やメニュー画面を含む種々の画面を表示する表示手段と、前記表示手段に表示する画面を切り換える画面切換手段と、各部を制御すると共に、前記メニュー画面において選択された機能を実行する機能制御手段とを備えるテレビジョン放送受信機であって、前記機能制御手段は、番組を視聴する機能以外の特定の機能を実行する際、前記表示手段に表示される画面を前記放送画面に切り換えるように前記画面切換手段を制御し、前記特定の機能が終了した際、前記表示手段に表示される画面を前記メニュー画面に切り換えるように前記画面切換手段を制御する。【選択図】図１
2010041431.tif 000002
【特許請求の範囲】
【請求項１】
放送信号を受信する手段と、
放送画面やメニュー画面を含む種々の画面を表示する表示手段と、
前記表示手段に表示する画面を切り換える画面切換手段と、
各部を制御すると共に、前記メニュー画面において選択された機能を実行する機能制御手段とを備えるテレビジョン放送受信機であって、
前記機能制御手段は、番組を視聴する機能以外の特定の機能を実行する際、前記表示手段に表示される画面を前記放送画面に切り換えるように前記画面切換手段を制御し、前記特定の機能が終了した際、前記表示手段に表示される画面を前記メニュー画面に切り換えるように前記画面切換手段を制御することを特徴とするテレビジョン放送受信機。
【請求項２】
放送信号を受信する手段と、
放送画面やメニュー画面を含む種々の画面を表示する表示手段と、
前記表示手段に表示する画面を切り換える画面切換手段と、
各部を制御すると共に、前記メニュー画面において選択された機能を実行する機能制御手段とを備えるテレビジョン放送受信機であって、
前記機能制御手段は、番組を視聴する機能以外の特定の機能を実行する際、前記表示手段に表示される画面を前記放送画面に切り換えるように前記画面切換手段を制御し、前記特定の機能が終了した際、前記表示画面に表示される画面を前記放送画面と前記メニュー画面を同時に表示する画面に切り換えるように前記画面切換手段を制御することを特徴とするテレビジョン放送受信機。
【請求項３】
前記機能制御手段は、前記特定機能の実行に必要な時間を決定し、この時間が予め決められたしきい値より長い場合にのみ、該機能を実行する際、前記表示手段に表示される画面を前記放送画面に切り換えるように前記画面切換手段を制御することを特徴とする請求項１又は２に記載のテレビジョン放送受信機。
【請求項４】
前記機能制御手段は、前記特定の機能が実行中であることを表示することが必要な機能である場合、該機能を実行する際、前記表示手段に表示する画面を前記放送画面と該機能が実行中であることを示す画面とを同時に表示する画面に切り換えるように前記画面切換手段を制御することを特徴とする請求項１乃至３のいずれか１項に記載のテレビジョン放送受信機。
【請求項５】
前記特定の機能は録画に関するものであることを特徴とする請求項１乃至４のいずれか１項に記載のテレビジョン放送受信機。
【請求項６】
前記特定の機能は記録媒体の初期化であることを特徴とする請求項５に記載のテレビジョン放送受信機。
【請求項７】
前記特定の機能はダビングであることを特徴とする請求項５に記載のテレビジョン放送受信機。
【請求項８】
テレビジョン放送受信機において画面を切り換える方法であって、
メニュー画面において番組を視聴する機能以外の特定の機能を実行する指示を受け付ける指示受け付けステップと、
表示手段に表示する画面を放送画面に切り換える第１の画面切換ステップと、
前記特定の機能を実行する機能実行ステップと、
前記特定の機能の終了時、前記表示手段に表示する画面をメニュー画面に切り換える第２の画面切換ステップとを含むことを特徴とする方法。
【請求項９】
テレビジョン放送受信機において画面を切り換える方法であって、
メニュー画面において番組を視聴する機能以外の特定の機能を実行する指示を受け付ける指示受付ステップと、
表示手段に表示する画面を放送画面に切り換える第１の画面切換ステップと、
前記特定の機能を実行する機能実行ステップと、
前記特定の機能の終了時、前記表示手段に表示する画面をメニュー画面に切り換える第２の画面切換ステップとを含むことを特徴とする方法。
【請求項１０】
前記指示受付ステップの後、実行する指示を受けた機能の実行に要する時間を決定するステップと、
前記機能の実行に要する時間が予め決められたしきい値より長いか否かを判定するステップとをさらに含み、
前記機能の実行に要する時間が予め決められたしきい値より長い場合にのみ、前記第１の画面切換ステップ及び第２の画面切換ステップを行うことを特徴とする請求項８または９に記載の方法。
【請求項１１】
前記特定の機能が実行中であることを表示することが必要な機能であるか否かを判定するステップをさらに含み、
前記特定の機能が実行中であることを表示することが必要な機能である場合、前記第１の画面切換ステップにおいて、前記表示手段に表示する画面を放送画面と該機能が実行中であることを示す画面とを同時に表示する画面に切り換えることを特徴とする請求項８乃至１０のいずれか１項に記載の方法。
【請求項１２】
請求項８乃至１１のいずれか１項に記載の方法をテレビジョン放送受信機に実行させるためのプログラム。
【発明の詳細な説明】
【技術分野】
【０００１】
本発明は、テレビジョン放送受信機に関し、特に録画機能を備えたテレビジョン放送受信機に関する。
【背景技術】
【０００２】
テレビジョン放送受信機には、例えばハードディスクドライブや光ディスクドライブを備え、ハードディスクやＤＶＤ−Ｒ等の記録可能な光ディスクメディアに放送を録画する機能を備えているものがある。録画に関する処理には、メディアの初期化や、あるメディアから他のメディアへのダビング等、非常に時間がかかるものが含まれる。
【０００３】
従来の録画機能付きテレビジョン放送受信機では、通常、このような処理の間、処理中であることを示す画面が表示される。しかしながら、実行に長い時間が掛かる機能の場合など、終了するまでの待ち時間を有効に使うことができなかった。
【０００４】
また、処理を実行している間、画面モードを切り換え、放送等を視聴することもできるが、その場合は、いつ処理が終了するか分からないという問題があった。
【０００５】
特許文献１には、テレビ信号を受信又は表示する機能を備えるとともに、テレビ信号とインターネットブラウザ信号の２つの信号を２画面同時表示する２画面信号生成装置と、インターネット信号処理装置がモデムを介して通信中であることを検出し、通信状態を指示するとともに、１画面モードと２画面モードを切り換える機能と制御するＴＶマイコンとを備えることにより、インターネット接続時の通信待ち時間の使用者の苦痛を解消し、また、インターネット等のコンピュータ映像とテレビ映像を同時に２画面表示した際のビートの発生を解消するようにしたインターネットテレビジョン放送受信機が開示されている。
【０００６】
【特許文献１】特開平１０−４２２０５号公報
【発明の開示】
【発明が解決しようとする課題】
【０００７】
特許文献１に記載されたインターネットテレビジョン放送受信機では、インターネット接続時の通信待ち時間がある場合に自動的に画面モードを変更し、放送を視聴することができたが、待ち時間の長さを測定していないため、画面が切り替わった後にすぐ待ち時間が終了してしまい、再びインターネット画面に切り替わってしまうことがあった。また、待ち時間の終了時に必ずインターネット画面に移行していたため、それまで見ていた放送画面が突然消えてしまい、不便であった。
【０００８】
本発明は、このような実情を鑑みてなされたものであり、機能実行中の待ち時間を有効に利用できるテレビジョン放送受信機を提供する。
【課題を解決するための手段】
【０００９】
本発明のテレビジョン放送受信機は、放送信号を受信する手段と、放送画面やメニュー画面を含む種々の画面を表示する表示手段と、前記表示手段に表示する画面を切り換える画面切換手段と、各部を制御すると共に、前記メニュー画面において選択された機能を実行する機能制御手段とを備えるテレビジョン放送受信機であって、前記機能制御手段は、番組を視聴する機能以外の特定の機能を実行する際、前記表示手段に表示される画面を前記放送画面に切り換えるように前記画面切換手段を制御し、前記特定の機能が終了した際、前記表示手段に表示される画面を前記メニュー画面に切り換えるように前記画面切換手段を制御することを特徴とする。
【００１０】
本発明の他のテレビジョン放送受信機は、放送信号を受信する手段と、放送画面やメニュー画面を含む種々の画面を表示する表示手段と、前記表示手段に表示する画面を切り換える画面切換手段と、各部を制御すると共に、前記メニュー画面において選択された機能を実行する機能制御手段とを備えるテレビジョン放送受信機であって、前記機能制御手段は、番組を視聴する機能以外の特定の機能を実行する際、前記表示手段に表示される画面を前記放送画面に切り換えるように前記画面切換手段を制御し、前記特定の機能が終了した際、前記表示画面に表示される画面を前記放送画面と前記メニュー画面を同時に表示する画面に切り換えるように前記画面切換手段を制御することを特徴とする。
【００１１】
前記機能制御手段は、前記特定機能の実行に必要な時間を決定し、この時間が予め決められたしきい値より長い場合にのみ、該機能を実行する際、前記表示手段に表示される画面を前記放送画面に切り換えるように前記画面切換手段を制御するようにしてもよい。
【００１２】
前記機能制御手段は、前記特定の機能が実行中であることを表示することが必要な機能である場合、該機能を実行する際、前記表示手段に表示する画面を前記放送画面と該機能が実行中であることを示す画面とを同時に表示する画面に切り換えるようにしてもよい。
前記所定の機能は録画に関するものであってもよい。
前記所定の機能は記録媒体の初期化であってもよい。
前記所定の機能はダビングであってもよい。
【発明の効果】
【００１３】
本発明のテレビジョン放送受信機は機能実行中の待ち時間を有効に利用できる。
【発明を実施するための最良の形態】
【００１４】
図１は、本発明のテレビジョン放送受信機の構成の一例を示すブロック図である。本テレビジョン放送受信機は、アンテナ１と、放送信号復号部２と、外部信号入力部３と、記録装置４と、記録信号復号部５と、画面切換・合成部６と、オンスクリーンディスプレイ（On Screen Display：ＯＳＤ）生成部７と、加算器８と、表示部９と、画面モード制御部１０と、リモコン１１と、リモコン受信部１２と、機能制御部１３と、所要時間計算部１４と、所要時間表１５と、判定部１６と、フラグ記憶部１７とを備える。
【００１５】
アンテナ１は放送信号を受信する。放送信号復号部は、アンテナ１が受信した放送信号を復号する。外部信号入力部３には外部機器からの外部信号が入力される。記録装置４は放送信号などを記録する。記録信号復号部５は、記録装置４が記録する記録信号を復号する。記録装置４は、例えばハードディスクドライブ、ＤＶＤドライブ、ＢＤドライブ等である。
【００１６】
画面切換・合成部６には、放送信号復号２によって復号された放送信号と、外部信号入力部３に入力された外部信号と、記録信号復号部５によって復号された記録信号とが入力される。画面切換・合成部６は、後述する画面モード制御部１０の制御に応じて、これらの入力信号やメニュー画面のうち１つを選択して出力したり、複数の入力信号やメニュー画面を合成して出力したりすることができる。
【００１７】
ＯＳＤ生成部７はＯＳＤ信号を生成する。加算器８は、画面切換・合成部６の出力信号にＯＳＤ生成部７が生成したＯＳＤ信号を重畳し、表示部９に入力する。表示部９は入力された信号を表示する。
【００１８】
画面モード制御部１０は、後述する機能制御部１３からの制御に従い、画面切換・合成部６を制御する。
【００１９】
リモコン１１は、ユーザの操作に応じて例えば赤外線からなる信号を発信する。リモコン１１が発信した信号はリモコン受信部１２によって受信される。リモコン受信部１２は受信した信号を機能制御部１３に入力する。
【００２０】
ユーザがリモコン１１を操作してある機能の実行を指示した場合、機能制御部１３はテレビジョン放送受信機の各部に指示を行い、機能を実行する。
【００２１】
所要時間計算部１４は、所要時間表１５において実行する機能の種類を検索し、必要なら他の情報も取得して、機能を実行するための所要時間を計算する。所要時間表１５の一例を図２に示す。所要時間表１５では、機能ごとに所要時間が規定されている。必要とされる他の情報としては、例えば、記録メディアに番組をダビングする場合、記録メディアの種別、ダビングする総容量などが挙げられる。所要時間表１５は、例えばテレビジョン放送受信機が内蔵するＲＯＭや不揮発性メモリ、ハードディスクドライブ等に格納されていてもよい。
【００２２】
判定部１６は、所要時間計算部１４によって計算された所要時間を用いて、機能実行開始時に機能終了時画面モード変更フラグの値と、画面モードを変更するかどうかを決定する。
【００２３】
機能制御部１３は、判定部１６が画面モードの変更を決定した場合、画面モード制御部１０に画面モードの変更を指示する。
【００２４】
また、機能制御部１３は、判定部１６によって機能終了時画面モード変更フラグの値の変更が決定された場合、機能終了時画面モード変更フラグの値を変更してフラグ記憶部１７に記憶し、機能終了時には、フラグ記憶部１７に記憶された機能終了時画面モード変更フラグに基づいて、画面モード制御部１０に画面モードの変更を指示する。フラグ記憶部１７は、例えばテレビジョン放送受信機が内蔵する不揮発性メモリ、ハードディスクドライブ等であってもよい。
【００２５】
図３は、本発明のテレビジョン放送受信機における機能に応じた画面モードの切換を説明する図である。
【００２６】
（ａ）において、メニュー画面においてリモコンによるユーザ操作などにより機能が選択される。
【００２７】
機能が短時間で終わる処理の場合、例えば、ＢＤの高速初期化の場合、（ｂ）においてメニュー画面のまま機能を実行する。メニュー画面において、機能が実行中であることを表示してもよい。機能終了後には機能が実行中であることを示す表示を消し、（ｃ）の通常のメニュー画面に戻る。
【００２８】
機能が一定以上の時間が掛かる処理の場合、例えば、ＢＤの完全初期化の場合、（ｄ）において画面モードを切り換え、メニュー画面から例えば放送画面に遷移する。このようにして、ユーザは時間が掛かる処理が終了するまで放送画面を視聴することができる。機能終了後には（ｃ）のメニュー画面に戻る。メニュー画面に戻ることによって、機能が終了したことが分かる。また、機能終了時に放送画面とメニュー画面の両方を表示するようにしてもよい。このようにすれば、いきなり放送画面が消えて番組の視聴ができなくなることを防ぐことができる。
【００２９】
図４は、本発明のテレビジョン放送受信機における機能開始時の処理の一例を説明するフローチャートである。
【００３０】
ステップＳ１０１において、リモコン１１におけるユーザ操作によって機能が指示される。このとき表示部９にはメニュー画面が表示されている。
【００３１】
ステップＳ１０２において、所要時間計算部１４は、所要時間表１５において実行する機能の種類を検索し、必要なら他の情報も取得して、機能を実行するための所要時間を計算する。
【００３２】
ステップＳ１０３において、判定部１６は、所要時間計算部１４によって計算された所要時間がしきい値より大きいか否かを判定し、所要時間がしきい値より大きい場合はステップＳ１０４に進み、所要時間がしきい値より小さい場合はステップＳ１０８に進む。
【００３３】
ステップＳ１０８において、画面モードを変更する必要がないので、判定部１６は、機能終了時にも画面モードを変更する必要がないことを機能制御部１３に通知し、機能制御部１３はフラグ記憶部１７における機能終了時画面モード変更フラグをリセットする。
【００３４】
ステップＳ１０４において、画面モードを変更する必要があるので、判定部１６は、機能終了時に画面モードを変更してメニュー画面に戻すことを機能制御部１３に通知し、機能制御部１３は機能終了時画面モード変更フラグをフラグ記憶部１７にセットする。
【００３５】
ステップＳ１０５において、判定部１６は、実行中の画面を見る必要がある機能か否かを判定する。実行中の画面を見る必要がある機能である場合は複数画面表示モードであることを機能制御部１３に通知してステップＳ１０６に進み、実行中の画面を見る必要がない機能である場合は放送画面表示モードであることを機能制御部１３に通知してステップＳ１０９に進む。
【００３６】
ステップＳ１０６において、機能制御部１３の制御の下、画面モード制御部１０は画面切換・合成部６を制御し、放送信号復号部２が出力した復号された放送信号を表示する画面と機能の実行を示す画面とを合成して出力させる。表示部９は、放送画面と機能実行中の画面とを表示する。
【００３７】
ステップＳ１０９において、機能制御部１３の制御の下、画面モード制御部１０は画面切換・合成部６を制御し、放送信号復号部２が出力した復号された放送信号を表示する画面を出力させる。表示部９は、放送画面のみを表示する。この際、ＯＳＤ生成部７は機能が実行中であることを示すＯＳＤを生成し、放送画面に重ねて表示するようにしてもよい。
【００３８】
ステップＳ１０７において、機能の実行を開始する。
【００３９】
図５は、本発明のテレビジョン放送受信機における機能終了時の処理の一例を説明するフローチャートである。
【００４０】
ステップＳ２０１において、機能の処理が終了する。
【００４１】
ステップＳ２０２において、機能制御部１３は、フラグ記憶部１７に機能終了時画面モード変更フラグがセットされているか否かを確認し、機能終了時画面モード変更フラグがセットされている場合、ステップＳ２０３に進み、機能終了時画面モード変更フラグがセットされていない場合、動作を終了する。
【００４２】
ステップＳ２０３において、機能制御部１３の制御の下、画面モード制御部１０は画面切換・合成部６を制御して画面モードを変更し、メニュー画面を出力させる。この際、放送画面とメニュー画面を合成して同時に表示させるようにしてもよい。
【００４３】
ステップＳ２０４において、機能制御部１３は、フラグ記憶部に格納されている機能終了時画面モード変更フラグをリセットし、動作を終了する。
【００４４】
以上説明したように、本発明のテレビジョン放送受信機によれば、実行に長い時間が掛かる機能が終了するまでの待ち時間に放送画面を見ることができ、ユーザは時間を有効に利用することができる。機能が終了した際にはメニュー画面またはメニュー画面と放送画面が表示されるため、ユーザは機能が終了したことを知ることができる。また、すぐに終了する機能を実行した場合には放送画面に切り替わることがなく、便利である。
【産業上の利用可能性】
【００４５】
本発明はテレビジョン放送受信機に利用可能である。
【図面の簡単な説明】
【００４６】
【図１】本発明のテレビジョン放送受信機の構成の一例を示すブロック図である。
【図２】所要時間表の一例を示す表である。
【図３】本発明のテレビジョン放送受信機における機能に応じた画面モードの切換を説明する図である。
【図４】本発明のテレビジョン放送受信機における機能開始時の処理の一例を説明するフローチャートである。
【図５】本発明のテレビジョン放送受信機における機能終了時の処理の一例を説明するフローチャートである。
【符号の説明】
【００４７】
１  アンテナ
２  放送信号復号部
３  外部信号入力部
４  記録装置
５  記録信号復号部
６  画面切換・合成部
７  ＯＳＤ生成部
８  加算器
９  表示部
１０  画面モード制御部
１１  リモコン
１２  リモコン受信部
１３  機能制御部
１４  所要時間計算部
１５  所要時間表
１６  判定部
１７  フラグ記憶部
【図１】
2010041431.tif 000003
【図２】
2010041431.tif 000004
【図３】
2010041431.tif 000005
【図４】
2010041431.tif 000006
【図５】
2010041431.tif 000007